(57)【特許請求の範囲】
【請求項１】
前面と背面とが平行で、前記前面と前記背面との内法を、ほぼ密閉状態で収容するブースタのほぼ外径とするとともに、全内面に防音材を配設したブースタ収納ケースに、少なくとも、モータ部の周囲に扱う液体を流通させて前記モータ部を冷却する棒形状をした陸上タイプの複数のブースタを同一平面上に並べて収容し、
前記複数のブースタへの入水管および前記複数のブースタからの出水管を、前記複数のブースタを並べた平面上に配設した、
ことを特徴とするポンプ装置。
【請求項２】
請求項１に記載のポンプ装置において、
前記ブースタ収納ケースの底面に液体抜き機構を設けた、
ことを特徴とするポンプ装置。
【発明の詳細な説明】
【０００１】
【発明の属する技術分野】
この発明は、棒形状で、陸上ポンプのモータ部の周囲に扱う液体を流通させてモータ部を冷却するブースタをブースタ収納ケースに収納させたポンプ装置に関するものである。
【０００２】
【従来の技術】
従来のブースタ、例えば陸上で使用する陸上ポンプは、モータ部およびポンプ部を空気中に露出させて設置している。
このような陸上ポンプのモータ部に電力を供給して作動させると、ポンプ部の回転羽根が回転するので、ポンプ部は流入口に流入する液体を回転羽根で圧送して流出口から送出する。
そして、モータ部が作動することによって発生する熱は、モータ部の周囲の大気に放熱される。
【０００３】
【発明が解決しようとする課題】
従来の陸上ポンプは、上記したように空冷式とされているので、モータ部が作動することによって発生する熱を効率よく放熱させるためにモータケーシングを熱良導体で構成するとともに、モータケーシングに冷却フィンを取り付けたり、モータケーシングに放熱用の換気孔を多数設けている。
したがって、陸上ポンプの周囲に空気を流通させてモータ部の熱を放熱させるための放熱用スペースを確保する必要があるため、設置スペースが広くなり、スペースを有効に利用することができなくなる。
【０００４】
また、モータ部の作動音などが外部に漏れるのを防止するために、例えば防音箱で陸上ポンプを覆おうとしても、防音箱内に熱が蓄積されること、前述した放熱用スペースを確保しなければならないことを考慮すると、コンパクトで効果的な防音措置を施すことはむずかしくなる。
さらに、コンパクトにまとめられたとしても、放熱用のギャラリーなどの換気孔や充分なスペースが必要であるため、騒音が漏れるという不都合があった。
【０００５】
そこで、本出願人は特願平５−４７１０４号および特願平５−４７１０５号により、棒形状で、モータ部の周囲に扱う液体を流通させてモータ部を冷却するブースタを提案した。
しかし、本出願人が先に提案したブースタにおいても、防音および防寒などにおいて、改善すべき点がある。
【０００６】
この発明は、上記したような不都合を解消するためになされたもので、設置スペースが少なくてスペースを有効に利用することができ、少ない容積で効果的な防音措置、防寒措置および防塵措置を施すことのできるポンプ装置を提供するものである。
【０００７】
【課題を解決するための手段】
この発明のポンプ装置は、前面と背面とが平行で、前記前面と前記背面との内法を、ほぼ密閉状態で収容するブースタのほぼ外径とするとともに、全内面に防音材を配設したブースタ収納ケースに、少なくとも、モータ部の周囲に扱う液体を流通させて前記モータ部を冷却する棒形状をした陸上タイプの複数のブースタを同一平面上に並べて収容し、前記複数のブースタへの入水管および前記複数のブースタからの出水管を、前記複数のブースタを並べた平面上に配設したものである。
そして、前記ブースタ収納ケースの底面に液体抜き機構を設けるのが望ましい。
【０００８】
【発明の実施の形態】
以下、この発明の実施形態を図に基づいて説明する。
図１はこの発明の一実施形態であるポンプ装置のブースタ収納ケースを破断した正面図、図２はこの発明の一実施形態であるポンプ装置の扉を閉じた状態の正面図である。
これらの図において、１は入水管、２Ａ，２Ｂは入水管１に接続されたバルブ、３Ａはバルブ２Ａに接続されたブースタ、３Ｂはバルブ２Ｂに接続されたブースタを示し、各ブースタ３Ａ，３Ｂは扱う液体、例えば水をモータ部の周囲に流通させてモータ部を冷却する水冷式である。
【０００９】
そして、各ブースタ３Ａ，３Ｂは、モータ部とポンプ部との各シャフトが一本状に構成された棒形状とされ、その両端に流入口と流出口とが、例えばシャフトと同心状に形成されている。
４はブースタ３Ａ，３Ｂに接続された出水管を示す。
【００１０】
１１はブースタ収納ケースを示し、ほぼ密閉状態となる矩形で、扁平な箱状に形成されている。
そして、前面は右側を回動中心とする扉１１ｄで覆われ、入水管１は左側面１１ｓｌの下側を貫通し、出水管４は右側面１１ｓｒの上側を貫通している。
１２は防音材を示し、ブースタ収納ケース１１の全内面に配設されている。
１３は水抜き機構を示し、ブースタ収納ケース１１の底面１１ｆに設けられている。
【００１１】
なお、ブースタ３Ａ，３Ｂの中心を結ぶ平面と、ブースタ収納ケース１１の背面１１ｒおよび扉１１ｄとはほぼ平行とされている。
また、底面１１ｆの四隅には、水抜き機構１３を浮かすための脚１１ｂがそれぞれ設けられている。
さらに、当然のことながら、扉１１ｄの内面にも防音材１２が配設されている。
【００１２】
次に、動作および作用について説明する。
まず、水使用個所が水使用状態になると、図示を省略した制御部により、例えばブースタ３Ａが駆動制御される。
そして、ブースタ３Ａが作動すると、入水管１からバルブ２Ａを介してブースタ３Ａに流入する水は、ブースタ３Ａで圧送され、出水管４を介して水使用個所に送出される。
したがって、水使用個所が水不使用状態になるまでは、ブースタ３Ａによって送水される。
【００１３】
このようにして水使用個所に送水するとき、ブースタ３Ａが作動することによって作動音が発生するが、この作動音は、ブースタ収納ケース１１がほぼ密閉状態であり、防音材１２の作用により、ブースタ収納ケース１１の外部に漏れなくなる。
そして、ブースタ３Ａまたはブースタ３Ｂのモータ部が作動することによって発生する熱は、モータ部の周囲を流れる水で搬送されて放熱される。
また、ブースタ３Ａ，３Ｂの修理点検時にブースタ３Ａ，３Ｂから漏れた水は、水抜き機構１３によってブースタ収納ケース１１の外部に排出される。
【００１４】
上述したように、この発明の一実施形態によれば、ブースタ３Ａ，３Ｂが水冷式であることにより、ブースタ３Ａ，３Ｂの周囲に放熱用スペースを設ける必要がなくなるので、ブースタ収納ケース１１をコンパクトに形成することができるため、設置スペースが少なくなってスペースを有効に利用することができ、保守・点検が容易にできる。
【００１５】
そして、ブースタ３Ａ，３Ｂを同一平面上に並べてブースタ収納ケース１１に収容させたので、さらに、ブースタ収納ケース１１の扉１１ｄおよび背面１１ｒを、ブースタ３Ａ，３Ｂを並べた平面とほぼ平行にしたので、また、入水管１および出水管４を、ブースタ３Ａ，３Ｂを並べた平面上に配設したので、コンパクトで、ブースタ３Ａ，３Ｂのほぼ外径の厚さとなる扁平にブースタ収納ケース１１が形成できるため、コンパクトな防音措置、防寒措置および防塵措置を施すことができる。
【００１６】
したがって、ブースタ３Ａ，３Ｂが棒形状であることにより、壁の中に収容または埋め込んだり、壁に掛けたり、ブースタ３Ａ，３Ｂを縦置きにしたり、ブースタ３Ａ，３Ｂを横置きにする自由度が増加する。
また、全内面に防音材１２が配設されたほぼ密閉状態のブースタ収納ケース１１にブースタ３Ａ，３Ｂを収容したので、ブースタ３Ａ，３Ｂが作動することによって作動音が発生しても、作動音が外部に漏れなくなり、さらなる防音効果および防塵効果を発揮する。
【００１７】
さらに、ブースタ３Ａ，３Ｂの周囲は防音材１２およびブースタ収納ケース１１で覆われているので、ブースタ３Ａ，３Ｂが直接外気に晒されなくなるため、防寒効果を発揮する。
そして、ブースタ収納ケース１１の底面１１ｆに水抜き機構１３を設けたので、修理点検時にブースタ３Ａ，３Ｂから漏れた水をブースタ収納ケース１１の外部に排出することができる。
【００１８】
なお、上記した一実施形態では、ブースタ３Ａ，３Ｂのみをブースタ収納ケース１１に収容した例で説明したが、ブースタ３Ａ，３Ｂの他、ブースタ３Ａ，３Ｂを駆動制御する制御装置などを収納させてもよい。
【００１９】
そして、液体抜き機構としての水抜き機構１３の詳細な説明を省略したが、単に排出筒であっても、コック付きの排出筒などであってもよい。
【００２０】
【発明の効果】
以上のように、この発明によれば、ブースタが水冷式であることにより、ブースタの周囲に放熱用スペースを設ける必要がなくなるので、ブースタ収納ケースをコンパクトに形成することができるため、設置スペースが少なくなってスペースを有効に利用することができ、保守・点検が容易にできる。
そして、複数のブースタを同一平面上に並べてブースタ収納ケースに収容させたので、さらに、ブースタ収納ケースの前面および背面を、複数のブースタを並べた平面とほぼ平行にしたので、また、入水管および出水管を、複数のブースタを並べた平面上に配設したので、コンパクトで、ブースタのほぼ外径の厚さとなる扁平にブースタ収納ケースが形成できるため、コンパクトな防音措置、防寒措置および防塵措置を施すことができる。
【００２１】
したがって、ブースタが棒形状であることにより、壁の中に収容または埋め込んだり、壁に掛けたり、ブースタを縦置きにしたり、ブースタを横置きにする自由度が増加するので、従来の陸上ポンプでは不可能な画期的設置形式を提供することができる。
また、複数のブースタをほぼ密閉状態のブースタ収納ケースに収容したので、さらに、ブースタ収納ケースの全内面に防音材を配設したので、ブースタが作動することによって作動音が発生しても、作動音が外部に漏れなくなり、さらなる防音効果および防塵効果を得ることができる。
【００２２】
さらに、ブースタの周囲は防音材およびブースタ収納ケースで覆われているので、ブースタが直接外気に晒されなくなるため、一層の防音効果および防寒効果を得ることができる。
そして、ブースタ収納ケースの底面に液抜き機構を設けたので、修理点検時にブースタから漏れた液を液体抜き機構によって外部に排出することができる。
【図面の簡単な説明】
【図１】  この発明の一実施形態であるポンプ装置のブースタ収納ケースを破断した正面図である。
【図２】  この発明の一実施形態であるポンプ装置の扉を閉じた状態の正面図である。
【符号の説明】
１          入水管
２Ａ，２Ｂ  バルブ
３Ａ，３Ｂ  ブースタ
４          出水管
１１        ブースタ収納ケース
１１ｄ      扉
１１ｓｌ    左側面
１１ｓｒ    右側面
１１ｆ      底面
１１ｒ      背面
１１ｂ      脚
１２        防音材
１３        水抜き機構
【図１】
0003777267.tif 000002
【図２】
0003777267.tif 000003